(57)【要約】【課題】  光源数より表示色を増やしてデザインの自由度を向上することができる可変表示構造を提供すること。【解決手段】  第１光源３の光のみを透過させる第１印刷部分２ｂと、第２光源４の光のみを透過させる第２印刷部分２ｃと、第１光源３の光と第２光源４の光を透過させる第３印刷部分２ｄと、第１光源３の光と第２光源４の光を透過しない背景印刷部分２ｅを備え、第１印刷部分２ｂと第３印刷部分２ｄでは、第１光源３の光をそれぞれ波長特性が異なるように透過させ、第２印刷部分２ｃと第３印刷部分２ｄでは、第２光源４の光をそれぞれ波長特性が異なるように透過させる波長透過特性の印刷層を備えた。【選択図】        図１
2008304669.tif 000002
【特許請求の範囲】
【請求項１】
透光性のあるシートに波長の異なる第１光源の光と第２光源の光を切り換えて投光させ、
第１表示と第２表示を行わせる可変表示構造であって、
第１光源の光のみを透過させる第１印刷部分と、
第２光源の光のみを透過させる第２印刷部分と、
第１光源の光と第２光源の光を透過させる第３印刷部分と、
第１光源の光と第２光源の光を透過しない背景印刷部分と、
を備え、
前記第１印刷部分と前記第３印刷部分では、前記第１光源の光をそれぞれ波長特性が異なるように透過させ、前記第２印刷部分と前記第３印刷部分では、前記第２光源の光をそれぞれ波長特性が異なるように透過させる透過手段を備えた、
ことを特徴とする可変表示構造。
【請求項２】
請求項１に記載の可変表示構造において、
前記透過手段は、
前記第１印刷部分の波長特性を、前記第１光源の光の短波長側を透過率高く透過し、長波長側を透過率低く透過するようにして、短波長側に色を変化させ、
前記第２印刷部分の波長特性を、前記第２光源の光の短波長側を透過率低く透過し、長波長側を透過率高く透過するようにして、長波長側に色を変化させ、
前記第３印刷部分の波長特性を、前記第１光源の光と前記第２光源の光を波長特性の変更なく透過させる特性にしたものである、
ことを特徴とする可変表示構造。
【請求項３】
請求項１又は請求項２に記載の可変表示構造において、
前記透過手段は、
前記第１印刷部分と前記第２印刷部分、及び前記第３印刷部分の透過率特性の印刷層の厚さによる変化により、表示光の輝度を調整する輝度調整手段を兼ねる、
ことを特徴とする可変表示構造。
【発明の詳細な説明】
【技術分野】
【０００１】
本発明は、光源の切替えにより複数の表示を切替える可変表示構造の技術分野に属する。
【背景技術】
【０００２】
従来では、照明装置から第１波長領域及び第２波長領域の光が照射可能であり、第１波長領域の光が実質的に指示体フィールドの第１の領域のみを通過可能であり、第２波長領域の光が実質的に指示体フィールドの第２の領域のみを通過可能であり、第２の領域は、指示体フィールドの第１の領域とは部分的に異なるものであるようにし、第１波長領域及び第２波長領域の光を切替えることにより２種類の異なる表示をおこなっている（例えば、特許文献１参照。）。
【特許文献１】特開２００１−１００６７９号公報（第２−８頁、全図）
【発明の開示】
【発明が解決しようとする課題】
【０００３】
しかしながら、従来の可変表示構造にあっては、光源数と同数の表示色の切替えを行うものであったが、光源数より表示色を増やしてデザインの自由度を向上する要求があった。
【０００４】
本発明は、上記問題点に着目してなされたもので、その目的とするところは、光源数より表示色を増やしてデザインの自由度を向上することができる可変表示構造を提供することにある。
【課題を解決するための手段】
【０００５】
上記目的を達成するため、本発明では、透光性のあるシートに波長の異なる第１光源の光と第２光源の光を切り換えて投光させ、第１表示と第２表示を行わせる可変表示構造であって、第１光源の光のみを透過させる第１印刷部分と、第２光源の光のみを透過させる第２印刷部分と、第１光源の光と第２光源の光を透過させる第３印刷部分と、第１光源の光と第２光源の光を透過しない背景印刷部分と、を備え、前記第１印刷部分と前記第３印刷部分では、前記第１光源の光をそれぞれ波長特性が異なるように透過させ、前記第２印刷部分と前記第３印刷部分では、前記第２光源の光をそれぞれ波長特性が異なるように透過させる透過手段を備えた、ことを特徴とする。
【発明の効果】
【０００６】
よって、本発明にあっては、光源数より表示色を増やしてデザインの自由度を向上することができる。
【発明を実施するための最良の形態】
【０００７】
以下、本発明の可変表示構造を実現する実施の形態を、請求項１，２，３に係る発明に対応する実施例１に基づいて説明する。
【実施例１】
【０００８】
まず、構成を説明する。
図１は実施例１の可変表示構造のメータパネルの一部の正面図である。図２は図１のＡ−Ａ断面図である。
実施例１では、車両の車室内に設けられるメータパネルの円周上に配置されるメータリングに可変表示構造を用いている。
すなわち、以下に示す構造を車両メータの一部に用いていることになる。
【０００９】
車両メータ１は、メータパネルの目盛りを表示する部分に、以下に示す構造を備えている。
つまり、メータパネルは一部を図２に示すようにカラーフィルタ２で構成し、その下方には、基板５上に実装した第１光源３と第２光源４を設けている。
第１光源３は、波長が約５２２nmをピークとする緑色の発光を行うLEDである。
第２光源４は、波長が約５９８nmをピークとする黄色の発光を行うLEDである。
【００１０】
図３は実施例１の可変表示構造における第１表示を表示した状態を示す説明図である。図４は実施例１の可変表示構造における第２表示を表示した状態を示す説明図である。図５は実施例１の可変表示構造における波長と透過率の関係を示すグラフ図である。なお、図３、図４では、発光による表示の状態をハッチングにより表現している。
カラーフィルタ２は、透明なシート２ａの前面に、第１印刷部分２ｂ、第２印刷部分２ｃ、第３印刷部分２ｄ、背景印刷部分２ｅを設けている。
第１印刷部分２ｂは、第１光源３の光を透過し、第２光源４の光を透過しない図５の符号２３の線の特性を持つ印刷部分である。
【００１１】
第２印刷部分２ｃは、第２光源４の光を透過し、第１光源３の光を透過しない図５の符号２４の線の特性を持つ印刷部分である。
第３印刷部分２ｄは、第１光源３の光と第２光源４の光の両方を透過させる図５の符号２５の特性を持つ印刷部分である。
背景印刷部分２ｅは、第１光源３の光と第２光源４の光の両方を透過させない特性を持つ印刷部分である。
【００１２】
実施例１では、メータの目盛りの外側に、半円形状に設けられるものを内外で２重となるように設け、内側を第３印刷部分２ｄ、外側を第１印刷部分２ｂとする。
そして、所定の間隔で円周上に設けた矩形の目盛り部分を第１印刷部分２ｂとし、その外周側の端部に、第３印刷部分２ｄを設ける。
さらに、その矩形の目盛り部分の外周側を覆う扇形状の部分を第２印刷部分２ｃとして設ける。また、矩形の目盛り部分の中間目盛りとなる部分を第２印刷部分２ｃとして設ける。
【００１３】
次に作用を説明する。
[表示作用]
図６は実施例１の可変表示構造において、第１印刷部分、第２印刷部分、第３印刷部分を通過した第１光源の光と第２光源の光の特性を示す透過率と波長の関係を示すグラフである。
(a)第１表示
実施例１において、図３に示す第１表示１１を表示させるには、第１光源３を点灯させ、第２光源４を消灯させる。
第１光源３から発せられた光は、透明なシート２ａを通過し、各印刷部分に向かうことになる。
【００１４】
第１印刷部分２ｂでは、図５の線２１と線２３の関係に示すように、第１光源３の光を通過させる。但し、第１印刷部分２ｂの特性の線２３は、第１光源３の特性の線２１よりも短い波長にピークを持つ。
第１光源３の光が透過する部分では、波長が短くなるに従って透過率が高くなる特性となる。そのために、第１印刷部分２ｂを通過した第１光源３の光は、第１光源自体の色より、短波長側の色に移動する（青く）。
【００１５】
つまり、図６に示すように、第１光源３の光（線２１）は、線２１１に示すように、第１印刷部分２ｂを通過することにより、相対光度が抑制され、且つピークから波長が短い側に差が小さく、ピークから波長が長い側に差が大きくなり、その分、第１光源自体の色より、短波長側の色に移動する。
【００１６】
次に、第２印刷部分２ｃでは、図５の線２１と線２４の関係に示すように、第１光源３の光と透過しない。これにより背景と同様に表示しない部分となる。
次に、第３印刷部分２ｄでは、図５の線２１と線２５の関係に示すように、第１光源３の光を透過する。
第３印刷部分２ｄの特性は、図５の線２５に示すように変化の少ない平坦な特性である。そのため、第３印刷部分２ｄを通過した第１光源３の光は、相対光度が抑制されるのみで、色の移動がほとんどない。
【００１７】
つまり、図６において、第３印刷部分２ｄを通過した第１光源３の光（線２１）は、線２１２のようになり、色の移動がない。ここで、第１印刷部分２ｂを通過した第１光源３の光（線２１１）と、第３印刷部分２ｄを通過した第１光源３の光（線２１２）を比較すると、異なる表示色を得ていることがわかる。
【００１８】
背景印刷部分２ｅでは、第１光源３の光を透過しない。よって、表示しない背景部分を構成する。
これにより、図３に示すように第１表示１１が表示される。第１表示１１では、線２１１と線２１２の特性となり、近い色であるが異なる色となる２つの表示色により表現されたメータのリングと目盛り部分が表示される。
【００１９】
(b)第２表示
実施例１において、図４に示す第２表示１２を表示させるには、第２光源４を点灯させ、第１光源３を消灯させる。
第２光源４から発せられた光は、透明なシート２ａを通過し、各印刷部分に向かうことになる。
【００２０】
第１印刷部分２ｂでは、図５の線２２と線２３の関係に示すように、第２光源４の光を透過させない。よって、背景と同様に表示しない部分を構成する。
第２印刷部分２ｃでは、図５の線２２と線２４の関係に示すように、第２光源４の光を通過させる。但し、第２印刷部分２ｃの特性の線２４は、第２光源４の特性の線２２よりも長い波長で透過率が高くなる特性を持つ。
第２光源４の光が透過する部分では、波長が長くなるに従って透過率が高くなる特性となる。そのために、第２印刷部分２ｃを通過した第２光源４の光は、第２光源自体の色より、長波長側の色に移動する（赤く）。
【００２１】
つまり、図６に示すように、第２光源４の光（線２２）は、線２２１に示すように、第２印刷部分２ｃを通過することにより、相対光度が抑制され、且つピークから波長が長い側に差が小さく、ピークから波長が短い側に差が大きくなり、その分、第２光源自体の色より、長波長側の色に移動する。
次に、第３印刷部分２ｄでは、図５の線２２と線２５の関係に示すように、第１光源３の光を透過する。
第３印刷部分２ｄの特性は、図５の線２５に示すように変化の少ない平坦な特性である。そのため、第３印刷部分２ｄを通過した第２光源４の光は、相対光度が抑制されるのみで、色の移動がほとんどない。
【００２２】
つまり、図６において、第３印刷部分２ｄを通過した第２光源４の光（線２２）は、線２２２のようになり、色の移動がない。ここで、第２印刷部分２ｃを通過した第２光源４の光（線２２１）と、第３印刷部分２ｄを通過した第２光源４の光（線２２２）を比較すると、異なる表示色を得ていることがわかる。
【００２３】
背景印刷部分２ｅでは、第２光源４の光を透過しない。よって、表示しない背景部分を構成する。
これにより、図４に示すように第２表示１２が表示される。第２表示１２では、線２２１と線２２２の特性となり、近い色であるが異なる色となる２つの表示色により表現されたメータのリングと目盛り部分が表示される。
【００２４】
つまり、実施例１の可変表示構造では、２つの光源の切替えにより、４色の表示色を得て、２種類の２色表示を行うことができる。
車両メータでは、異なる表示意匠と、異なる表示色を切替え可能になり、光源の種類数より色数が増えるため、デザインの自由度が向上する。
そのため、デザイン性の高い車両メータを提供でき、また視認性を向上させる車両メータを提供できる。
【００２５】
図７は実施例１の可変表示構造における第１印刷部分、第２印刷部分、第３印刷部分の特性の印刷厚さによる変化を示す透過率と波長の関係を示すグラフである。
なお、第１表示１１と第２表示１２の明るさの調整、及び第１印刷部分２ｂを通過する表示光と、第３印刷部分２ｄを通過する表示光の明るさの調整、さらに、第２印刷部分２ｃを通過する表示光と、第３印刷部分２ｄを通過する表示光の明るさの調整は、印刷厚さで行うことができる。
【００２６】
つまり、図６の第１印刷部分２ｂの線２３の特性を線２３１、線２３２へ変更してもよく、第２印刷部分２ｃの線２４の特性を線２４１、線２４２へ変更してもよい。また、第３印刷部分２ｄの線２５の特性を線２５１、線２５２へ変更してもよい。
このように実施例１の可変表示構造では、各表示の明るさ（輝度）を容易に調整することができる。
【００２７】
次に、効果を説明する。
実施例１の可変表示構造にあっては、下記に列挙する効果を得ることができる。
【００２８】
(1)透光性のあるシート２ａに波長の異なる第１光源３の光と第２光源４の光を切り換えて投光させ、第１表示１１と第２表示１２を行わせる可変表示構造であって、第１光源３の光のみを透過させる第１印刷部分２ｂと、第２光源４の光のみを透過させる第２印刷部分２ｃと、第１光源３の光と第２光源４の光を透過させる第３印刷部分２ｄと、第１光源３の光と第２光源４の光を透過しない背景印刷部分２ｅを備え、第１印刷部分２ｂと第３印刷部分２ｄでは、第１光源３の光をそれぞれ波長特性が異なるように透過させ、第２印刷部分２ｃと第３印刷部分２ｄでは、第２光源４の光をそれぞれ波長特性が異なるように透過させる波長透過特性の印刷層を備えたため、光源数より表示色を増やしてデザインの自由度を向上することができる。
【００２９】
(2) (1)において、透過手段は、第１印刷部分２ｂの波長特性を、第１光源３の光の短波長側を透過率高く透過し、長波長側を透過率低く透過するようにして、短波長側に色を変化させ、第２印刷部分２ｃの波長特性を、第２光源４の光の短波長側を透過率低く透過し、長波長側を透過率高く透過するようにして、長波長側に色を変化させ、第３印刷部分２ｄの波長特性を、第１光源３の光と第２光源４の光を波長特性の変更なく透過させる特性にしたものであるため、第１光源３を点灯した際には、第１光源３の光を第３印刷部分２ｄを通過させた第１光源３の発光色と、第１光源３の光を第１印刷部分２ｂを通過させ短波長側に第１光源３の発光色を変化させたものの２色が表示されるようにし、第２光源４を点灯した際には、第２光源４の光を第３印刷部分２ｄを通過させた第２光源４の発光色と、第２光源４の光を第２印刷部分２ｃを通過させ長波長側に第２光源４の発光色を変化させたものの２色が表示されるようにして、光源数より表示色を増やしてデザインの自由度を向上することができる。
【００３０】
(3) (1)または(2)において、透過手段は、第１印刷部分２ｂと第２印刷部分２ｃ、及び第３印刷部分２ｄの透過率特性の印刷層の厚さによる変化により、表示光の輝度を調整することを兼ねるため、表示光の輝度ムラを抑制し、表示品質を向上させることができる。
【００３１】
以上、本発明の可変表示構造を実施例１に基づき説明してきたが、具体的な構成については、これらの実施例に限られるものではなく、特許請求の範囲の各請求項に係る発明の要旨を逸脱しない限り、設計の変更や追加等は許容される。
例えば、第１表示１１、第２表示１２は他の色であってもよい。
印刷には、シルク印刷、凸版印刷、インクジェット印刷、熱転写印刷があり、いずれの印刷によるものでもよい。また、他の印刷によるものであってもよい。
【産業上の利用可能性】
【００３２】
本願の可変表示構造は、計器の表示部やスイッチ等のように、簡易的な表示が必要な部位への利用は容易である。
【図面の簡単な説明】
【００３３】
【図１】実施例１の可変表示構造のメータパネルの一部の正面図である。
【図２】図１のＡ−Ａ断面図である。
【図３】実施例１の可変表示構造における第１表示を表示した状態を示す説明図である。
【図４】実施例１の可変表示構造における第２表示を表示した状態を示す説明図である。
【図５】実施例１の可変表示構造における波長と透過率の関係を示すグラフ図である。
【図６】実施例１の可変表示構造において、第１印刷部分、第２印刷部分、第３印刷部分を通過した第１光源の光と第２光源の光の特性を示す透過率と波長の関係を示すグラフである。
【図７】実施例１の可変表示構造における第１印刷部分、第２印刷部分、第３印刷部分の特性の印刷厚さによる変化を示す透過率と波長の関係を示すグラフである。
【符号の説明】
【００３４】
１  車両メータ
２  カラーフィルタ
２ａ  シート
２ｂ  第１印刷部分
２ｃ  第２印刷部分
２ｄ  第３印刷部分
２ｅ  背景印刷部分
３  第１光源
４  第２光源
５  基板
１１  第１表示
１２  第２表示
２１  （第１光源の特性を示す）線
２１１  （第１印刷部分を透過した第１光源の光の特性を示す）線
２１２  （第３印刷部分を透過した第１光源の光の特性を示す）線
２２  （第２光源の特性を示す）線
２２１  （第２印刷部分を透過した第２光源の光の特性を示す）線
２２２  （第３印刷部分を透過した第２光源の光の特性を示す）線
２３  （第１印刷部分の特性を示す）線
２４  （第２印刷部分の特性を示す）線
２５  （第３印刷部分の特性を示す）線
【図１】
2008304669.tif 000003
【図２】
2008304669.tif 000004
【図３】
2008304669.tif 000005
【図４】
2008304669.tif 000006
【図５】
2008304669.tif 000007
【図６】
2008304669.tif 000008
【図７】
2008304669.tif 000009